(57)【要約】【課題】ネットワーク上に接続されたプリンタなどのサービス装置における節電効率を向上させることが可能な節電管理システム、節電管理方法、節電管理プログラム、節電管理装置、及びサービス装置を提供する。【解決手段】クライアント端末からのサービス要求に応じてサービスを提供するサービス装置において、節電状態に移行する節電条件が整うと、前記サービス装置の節電状態を管理する節電管理装置に節電移行通知、及びステータス情報を送信して節電状態に移行する。そして、節電管理装置は、クライアント端末から節電中のサービス装置に対するステータス要求を検出すると、管理しているステータス情報に基づいてステータスをクライアント端末に送信し、クライアント端末から節電中のサービス装置に対するサービス要求を検出すると、起動要求をサービス装置に送信して、サービス装置を起動させる。  【選択図】  図１
2005267539.tif 000002
【特許請求の範囲】
【請求項１】
クライアント端末からのサービス要求に応じてサービスを提供するサービス装置と、
前記サービス装置の節電状態を管理する節電管理装置と
を具備し、
前記サービス装置は、節電移行通知、及びステータス情報を前記節電装置に送信して節電状態に移行し、
前記節電管理装置は、
前記サービス装置を特定する特定情報及び前記ステータス情報を管理し、
前記クライアント端末から節電中の前記サービス装置に対するステータス要求を検出すると、前記ステータス情報に基づいてステータスを該クライアント端末に送信し、
前記クライアント端末から節電中の前記サービス装置に対する前記サービス要求を検出すると、起動要求を該サービス装置に送信する
ことを特徴とする節電管理システム。
【請求項２】
クライアント端末からのサービス要求に応じてサービスを提供するサービス装置と、
前記サービス装置の節電状態を管理する節電管理装置と
を具備し、
前記サービス装置は、
ステータスに変化が生じるとステータス情報を前記節電装置に送信し、
節電状態に移行するに際して節電移行通知を前記節電装置に送信した後に節電状態に移行し、
前記節電管理装置は、
前記サービス装置を特定する特定情報及び前記ステータス情報を管理し、
前記クライアント端末から節電中の前記サービス装置に対するステータス要求を検出すると、前記ステータス情報に基づいてステータスを該クライアント端末に送信し、
前記クライアント端末から節電中の前記サービス装置に対する前記サービス要求を検出すると、起動要求を該サービス装置に送信する
ことを特徴とする節電管理システム。
【請求項３】
クライアント端末からのサービス要求に応じてサービスを提供するサービス装置と、
前記サービス装置の節電状態を管理する節電管理装置と
を具備し、
前記サービス装置は、
前記節電管理装置からステータス要求を受信すると、ステータス情報を前記節電装置に送信し、
節電状態に移行するに際して節電移行通知を前記節電装置に送信した後に節電状態に移行し、
前記節電管理装置は、
前記サービス装置を特定する特定情報及び前記ステータス情報を管理し、
前記クライアント端末から節電中の前記サービス装置に対するステータス要求を検出すると、前記ステータス情報に基づいてステータスを該クライアント端末に送信し、
前記クライアント端末から節電中の前記サービス装置に対する前記サービス要求を検出すると、起動要求を該サービス装置に送信する
ことを特徴とする節電管理システム。
【請求項４】
クライアント端末からのサービス要求に応じてサービスを提供する複数のサービス装置と、
前記サービス装置の一であって、前記サービス装置の節電状態を管理する節電管理部を有する節電管理装置と
を具備し、
前記節電管理装置は、前記サービスを提供する本体部から前記節電管理部に節電移行通知、及びステータス情報を送信して、該本体部を節電状態に移行し、
前記節電管理装置以外の前記サービス装置は、節電移行通知、及びステータス情報を前記節電装置に送信して節電状態に移行し、
前記節電管理装置は、
前記サービス装置を特定する特定情報及び前記ステータス情報を管理し、
前記クライアント端末から節電中の前記サービス装置に対する前記ステータス要求を検出すると、前記ステータス情報に基づいてステータスを該クライアント端末に送信し、
前記クライアント端末から節電中の自端末に対する前記サービス要求を検出すると、前記節電管理部から前記本体部に起動要求を送信し、
前記クライアント端末から節電中の他端末に対する前記サービス要求を検出すると、起動要求を該サービス装置に送信する
ことを特徴とする節電管理システム。
【請求項５】
クライアント端末からのサービス要求に応じてサービスを提供する複数のサービス装置と、
前記サービス装置の一であって、前記サービス装置の節電状態を管理する節電管理部を有する節電管理装置と
を具備し、
前記節電管理装置は、
ステータスに変化が生じると前記サービスを提供する本体部から前記節電管理部にステータス情報を送信し、
節電状態に移行するに際して節電移行通知を前記本体部から前記節電管理部に送信した後に該本体部を節電状態に移行し、
前記節電管理装置以外の前記サービス装置は、
ステータスに変化が生じるとステータス情報を前記節電装置に送信し、
節電状態に移行するに際して節電移行通知を前記節電装置に送信した後に節電状態に移行し、
前記節電管理装置は、
前記サービス装置を特定する特定情報及び前記ステータス情報を管理し、
前記クライアント端末から節電中の前記サービス装置に対する前記ステータス要求を検出すると、前記ステータス情報に基づいてステータスを該クライアント端末に送信し、
前記クライアント端末から節電中の自端末に対する前記サービス要求を検出すると、前記節電管理部から前記本体部に起動要求を送信し、
前記クライアント端末から節電中の他端末に対する前記サービス要求を検出すると、起動要求を該サービス装置に送信する
ことを特徴とする節電管理システム。
【請求項６】
クライアント端末からのサービス要求に応じてサービスを提供する複数のサービス装置と、
前記サービス装置の一であって、前記サービス装置の節電状態を管理する節電管理部を有する節電管理装置と
を具備し、
前記節電管理装置は、
前記節電管理部からステータス要求を受信すると、ステータス情報を前記節電管理部に送信し、
節電状態に移行するに際して節電移行通知を前記本体部から前記節電管理部に送信した後に該本体部を節電状態に移行し、
前記節電管理装置以外の前記サービス装置は、
前記節電管理装置からステータス要求を受信すると、ステータス情報を前記節電装置に送信し、
節電状態に移行するに際して節電移行通知を前記節電装置に送信した後に節電状態に移行し、
前記節電管理装置は、
前記サービス装置を特定する特定情報及び前記ステータス情報を管理し、
前記クライアント端末から節電中の前記サービス装置に対する前記ステータス要求を検出すると、前記ステータス情報に基づいてステータスを該クライアント端末に送信し、
前記クライアント端末から節電中の自端末に対する前記サービス要求を検出すると、前記節電管理部から前記本体部に起動要求を送信し、
前記クライアント端末から節電中の他端末に対する前記サービス要求を検出すると、起動要求を該サービス装置に送信する
ことを特徴とする節電管理システム。
【請求項７】
クライアント端末からのサービス要求に応じてサービスを提供するサービス装置の節電管理方法において、
前記サービス装置が節電状態に移行するに際して、節電移行通知、及びステータス情報を該サービス装置の節電状態を管理する節電管理装置に送信し、
前記サービス装置の特定情報及びステータス情報を前記節電管理装置に登録し、
前記クライアント端末から節電中の前記サービス装置に対するステータス要求が発生すると、前記ステータス情報に基づいてステータスを前記節電管理装置から該クライアント端末に送信し、
前記クライアント端末から節電中の前記サービス装置に対する前記サービス要求を検出すると、起動要求を前記節電管理装置から該サービス装置に送信する
ことを特徴とする節電管理方法。
【請求項８】
クライアント端末からのサービス要求に応じてサービスを提供するサービス装置の節電を管理する節電管理プログラムにおいて、
節電中の前記サービス装置を特定する特定情報を登録し、
前記サービス装置のステータス情報を登録し、
前記クライアント端末から節電中の前記サービス装置に対するステータス要求を検出すると、前記ステータス情報に基づいてステータスを該クライアント端末に送信し、
前記クライアント端末から節電中の前記サービス装置に対する前記サービス要求を検出すると、起動要求を該サービス装置に送信する
処理をコンピュータに実行させることを特徴とする節電管理プログラム。
【請求項９】
クライアント端末からのサービス要求に応じてサービスを提供するサービス装置の節電状態を管理する節電管理装置において、
節電中の前記サービス装置を特定する特定情報を登録するアドレス登録部と、
前記サービス装置のステータス情報を登録するステータス登録部と
を具備し、
前記クライアント端末から節電中の前記サービス装置に対するステータス要求を検出すると、前記ステータス情報に基づいてステータスを該クライアント端末に送信し、
前記クライアント端末から節電中の前記サービス装置に対する前記サービス要求を検出すると、起動要求を該サービス装置に送信する
ことを特徴とする節電管理装置。
【請求項１０】
クライアント端末からのサービス要求に応じてサービスを提供するサービス装置の節電状態を管理する節電管理装置において、
クライアント端末からのサービス要求に応じてサービスを提供する本体部と、
節電中の前記サービス装置を特定する特定情報を登録するアドレス登録部と、
前記サービス装置のステータス情報を登録するステータス登録部と
を具備し、
前記クライアント端末から節電中の前記サービス装置に対するステータス要求を検出すると、前記ステータス情報に基づいてステータスを該クライアント端末に送信し、
前記クライアント端末から節電中の自端末に対する前記サービス要求を検出すると、前記節電管理部から前記本体部に起動要求を送信し、
前記クライアント端末から節電中の他端末に対する前記サービス要求を検出すると、起動要求を該サービス装置に送信する
ことを特徴とする節電管理装置。
【請求項１１】
クライアント端末からのサービス要求に応じてサービスを提供するサービス装置において、
節電移行通知及びステータス情報を前記サービス装置の節電状態を管理する節電管理装置に送信した後、前記サービスを提供する本体部を停止させて節電状態に移行し、
前記節電管理装置から起動要求を受信すると、前記本体部を起動させてサービスを提供する
ことを特徴とするサービス装置。
【請求項１２】
クライアント端末からのサービス要求に応じてサービスを提供するサービス装置において、
ステータスに変化が生じると前記サービス装置の節電状態を管理する節電装置にステータス情報を送信し、
前記サービスを提供する本体部を停止させて節電状態に移行するに際して、節電移行通知を前記節電管理装置に送信した後に節電状態に移行し、
前記節電管理装置から起動要求を受信すると、前記本体部を起動させてサービスを提供する
ことを特徴とするサービス装置。
【請求項１３】
クライアント端末からのサービス要求に応じてサービスを提供するサービス装置において、
前記サービス装置の節電状態を管理する節電管理装置からステータス要求を受信すると、ステータス情報を前記節電装置に送信し、
前記サービスを提供する本体部を停止させて節電状態に移行するに際して、節電移行通知を前記節電管理装置に送信した後に節電状態に移行し、
前記節電管理装置から起動要求を受信すると、前記本体部を起動させてサービスを提供する
ことを特徴とするサービス装置。
【請求項１４】
クライアント端末からのサービス要求に応じてサービスを提供するサービス装置において、
節電中の前記サービス装置を特定する特定情報を登録するアドレス登録部と、該サービス装置のステータス情報を登録するステータス登録部とを有し、自端末及び他端末の節電状態を管理する節電管理部を具備し、
節電移行通知及びステータス情報を前記管理部に送信した後、前記サービスを提供する本体部を停止させて節電状態に移行し、
前記クライアント端末から節電中のサービス装置に対するステータス要求を検出すると、前記ステータス情報に基づいてステータスを該クライアント端末に送信し、
前記クライアント端末から節電中の自端末に対する前記サービス要求を検出すると、前記本体部を起動させてサービスを提供し、
前記クライアント端末から節電中の他端末に対する前記サービス要求を検出すると、起動要求を該サービス装置に送信する
ことを特徴とするサービス装置。
【発明の詳細な説明】
【技術分野】
【０００１】
本発明は、節電管理システム、節電管理方法、節電管理プログラム、節電管理装置、及びサービス装置に関し、特に、消費電力を抑えることが可能な節電管理システム、節電管理方法、節電管理プログラム、節電管理装置、及びサービス装置に関する。
【背景技術】
【０００２】
ネットワークを介して複数のクライアント端末（例えば、ＰＣ）と接続するプリンタなどのサービス装置では、クライアント端末からの求めに応じてサービスを提供するため、印刷などのサービス提供時以外であっても常時起動しており、消費電力の増加に繋がっていた。
【０００３】
このため、サービス装置における電力の消費を抑える様々な取り組みが成されており、例えば、印刷を行う本体部を停止させてプリンタを節電状態とすると共に、節電状態のプリンタを管理装置で管理し、当該プリンタに対するクライアント端末からの要求が発生すると、管理装置からの指示でプリンタを起動させて要求に対応する方法が提案されている（例えば、特許文献１参照）。
【特許文献１】特開２００１−０７５６８７号公報
【発明の開示】
【発明が解決しようとする課題】
【０００４】
しかし、この方法では、プリンタの状態を知りたいといったステータス要求など、プリンタ全体の起動が必要ではない要求であっても、印刷を行う印刷要求と同様に本体部を含めたプリンタ全体が起動しなければならず、節電効率の低下に繋がっていた。
【０００５】
そこで、本発明では、ネットワーク上に接続されたプリンタなどのサービス装置における節電効率を向上させることが可能な節電管理システム、節電管理方法、節電管理プログラム、節電管理装置、及びサービス装置を提供することを目的とする。
【課題を解決するための手段】
【０００６】
本発明に係る節電管理システムは、クライアント端末からのサービス要求に応じてサービスを提供するサービス装置と、前記サービス装置の節電状態を管理する節電管理装置とを具備し、前記サービス装置は、節電移行通知、及びステータス情報を前記節電装置に送信して節電状態に移行し、前記節電管理装置は、前記サービス装置を特定する特定情報及び前記ステータス情報を管理し、前記クライアント端末から節電中の前記サービス装置に対するステータス要求を検出すると、前記ステータス情報に基づいてステータスを該クライアント端末に送信し、前記クライアント端末から節電中の前記サービス装置に対する前記サービス要求を検出すると、起動要求を該サービス装置に送信する。
【０００７】
また、本発明に係る節電管理システムは、クライアント端末からのサービス要求に応じてサービスを提供するサービス装置と、前記サービス装置の節電状態を管理する節電管理装置とを具備し、前記サービス装置は、ステータスに変化が生じるとステータス情報を前記節電装置に送信し、節電状態に移行するに際して節電移行通知を前記節電装置に送信した後に節電状態に移行し、前記節電管理装置は、前記サービス装置を特定する特定情報及び前記ステータス情報を管理し、前記クライアント端末から節電中の前記サービス装置に対するステータス要求を検出すると、前記ステータス情報に基づいてステータスを該クライアント端末に送信し、前記クライアント端末から節電中の前記サービス装置に対する前記サービス要求を検出すると、起動要求を該サービス装置に送信する。
【０００８】
また、本発明に係る節電管理システムは、クライアント端末からのサービス要求に応じてサービスを提供するサービス装置と、前記サービス装置の節電状態を管理する節電管理装置とを具備し、前記サービス装置は、前記節電管理装置からステータス要求を受信すると、ステータス情報を前記節電装置に送信し、節電状態に移行するに際して節電移行通知を前記節電装置に送信した後に節電状態に移行し、前記節電管理装置は、前記サービス装置を特定する特定情報及び前記ステータス情報を管理し、前記クライアント端末から節電中の前記サービス装置に対するステータス要求を検出すると、前記ステータス情報に基づいてステータスを該クライアント端末に送信し、前記クライアント端末から節電中の前記サービス装置に対する前記サービス要求を検出すると、起動要求を該サービス装置に送信する。
【０００９】
また、本発明に係る節電管理システムは、クライアント端末からのサービス要求に応じてサービスを提供する複数のサービス装置と、前記サービス装置の一であって、前記サービス装置の節電状態を管理する節電管理部を有する節電管理装置とを具備し、前記節電管理装置は、節電移行時に、前記サービスを提供する本体部は、前記節電管理部に節電移行通知、及びステータス情報を送信して、該本体部を節電状態に移行し、前記節電管理装置以外の前記サービス装置は、節電移行通知、及びステータス情報を前記節電装置に送信して節電状態に移行し、前記節電管理装置は、前記サービス装置を特定する特定情報及び前記ステータス情報を管理し、前記クライアント端末から節電中の前記サービス装置に対する前記ステータス要求を検出すると、前記ステータス情報に基づいてステータスを該クライアント端末に送信し、前記クライアント端末から節電中の自端末に対する前記サービス要求を検出すると、前記節電管理部から前記本体部に起動要求を送信し、前記クライアント端末から節電中の他端末に対する前記サービス要求を検出すると、起動要求を該サービス装置に送信する。
【００１０】
また、本発明に係る節電管理システムは、クライアント端末からのサービス要求に応じてサービスを提供する複数のサービス装置と、前記サービス装置の一であって、前記サービス装置の節電状態を管理する節電管理部を有する節電管理装置とを具備し、前記サービスを提供する本体部は、前記節電管理部にステータス情報を送信し、節電状態に移行するに際して節電移行通知を前記本体部から前記節電管理部に送信した後に該本体部を節電状態に移行し、前記節電管理装置以外の前記サービス装置は、ステータスに変化が生じるとステータス情報を前記節電装置に送信し、節電状態に移行するに際して節電移行通知を前記節電装置に送信した後に節電状態に移行し、前記節電管理装置は、前記サービス装置を特定する特定情報及び前記ステータス情報を管理し、前記クライアント端末から節電中の前記サービス装置に対する前記ステータス要求を検出すると、前記ステータス情報に基づいてステータスを該クライアント端末に送信し、前記クライアント端末から節電中の自端末に対する前記サービス要求を検出すると、前記節電管理部から前記本体部に起動要求を送信し、前記クライアント端末から節電中の他端末に対する前記サービス要求を検出すると、起動要求を該サービス装置に送信する。
【００１１】
また、本発明に係る節電管理システムは、クライアント端末からのサービス要求に応じてサービスを提供する複数のサービス装置と、前記サービス装置の一であって、前記サービス装置の節電状態を管理する節電管理部を有する節電管理装置とを具備し、前記サービスを提供する本体部は、前記節電管理部からステータス要求を受信すると、ステータス情報を前記節電管理部に送信し、節電状態に移行するに際して節電移行通知を前記本体部から前記節電管理部に送信した後に該本体部を節電状態に移行し、前記節電管理装置以外の前記サービス装置は、前記節電管理装置からステータス要求を受信すると、ステータス情報を前記節電装置に送信し、節電状態に移行するに際して節電移行通知を前記節電装置に送信した後に節電状態に移行し、前記節電管理装置は、前記サービス装置を特定する特定情報及び前記ステータス情報を管理し、前記クライアント端末から節電中の前記サービス装置に対する前記ステータス要求を検出すると、前記ステータス情報に基づいてステータスを該クライアント端末に送信し、前記クライアント端末から節電中の自端末に対する前記サービス要求を検出すると、前記節電管理部から前記本体部に起動要求を送信し、前記クライアント端末から節電中の他端末に対する前記サービス要求を検出すると、起動要求を該サービス装置に送信する。
【００１２】
次に、本発明に係る節電管理方法は、クライアント端末からのサービス要求に応じてサービスを提供するサービス装置の節電管理方法において、前記サービス装置が節電状態に移行するに際して、節電移行通知、及びステータス情報を該サービス装置の節電状態を管理する節電管理装置に送信し、前記サービス装置の特定情報及びステータス情報を前記節電管理装置に登録し、前記クライアント端末から節電中の前記サービス装置に対するステータス要求が発生すると、前記ステータス情報に基づいてステータスを前記節電管理装置から該クライアント端末に送信し、前記クライアント端末から節電中の前記サービス装置に対する前記サービス要求を検出すると、起動要求を前記節電管理装置から該サービス装置に送信する。
【００１３】
本発明に係る節電管理プログラムは、クライアント端末からのサービス要求に応じてサービスを提供するサービス装置の節電を管理する節電管理プログラムにおいて、節電中の前記サービス装置を特定する特定情報を登録し、前記サービス装置のステータス情報を登録し、前記クライアント端末から節電中の前記サービス装置に対するステータス要求を検出すると、前記ステータス情報に基づいてステータスを該クライアント端末に送信し、前記クライアント端末から節電中の前記サービス装置に対する前記サービス要求を検出すると、起動要求を該サービス装置に送信する。
【００１４】
本発明に係る節電管理装置は、クライアント端末からのサービス要求に応じてサービスを提供するサービス装置の節電状態を管理する節電管理装置において、節電中の前記サービス装置を特定する特定情報を登録するアドレス登録部と、前記サービス装置のステータス情報を登録するステータス登録部とを具備し、前記クライアント端末から節電中の前記サービス装置に対するステータス要求を検出すると、前記ステータス情報に基づいてステータスを該クライアント端末に送信し、前記クライアント端末から節電中の前記サービス装置に対する前記サービス要求を検出すると、起動要求を該サービス装置に送信する。
【００１５】
また、本発明に係る節電管理装置は、クライアント端末からのサービス要求に応じてサービスを提供するサービス装置の節電状態を管理する節電管理装置において、クライアント端末からのサービス要求に応じてサービスを提供する本体部と、節電中の前記サービス装置を特定する特定情報を登録するアドレス登録部と、前記サービス装置のステータス情報を登録するステータス登録部とを具備し、前記クライアント端末から節電中の前記サービス装置に対するステータス要求を検出すると、前記ステータス情報に基づいてステータスを該クライアント端末に送信し、前記クライアント端末から節電中の自端末に対する前記サービス要求を検出すると、前記節電管理部から前記本体部に起動要求を送信し、前記クライアント端末から節電中の他端末に対する前記サービス要求を検出すると、起動要求を該サービス装置に送信する。
【００１６】
本発明に係るサービス装置は、クライアント端末からのサービス要求に応じてサービスを提供するサービス装置において、節電移行通知及びステータス情報を前記サービス装置の節電状態を管理する節電管理装置に送信した後、前記サービスを提供する本体部を停止させて節電状態に移行し、前記節電管理装置から起動要求を受信すると、前記本体部を起動させてサービスを提供する。
【００１７】
また、本発明に係るサービス装置は、クライアント端末からのサービス要求に応じてサービスを提供するサービス装置において、ステータスに変化が生じると前記サービス装置の節電状態を管理する節電装置にステータス情報を送信し、前記サービスを提供する本体部を停止させて節電状態に移行するに際して、節電移行通知を前記節電管理装置に送信した後に節電状態に移行し、前記節電管理装置から起動要求を受信すると、前記本体部を起動させてサービスを提供する。
【００１８】
また、本発明に係るサービス装置は、クライアント端末からのサービス要求に応じてサービスを提供するサービス装置において、前記サービス装置の節電状態を管理する節電管理装置からステータス要求を受信すると、ステータス情報を前記節電装置に送信し、前記サービスを提供する本体部を停止させて節電状態に移行するに際して、節電移行通知を前記節電管理装置に送信した後に節電状態に移行し、前記節電管理装置から起動要求を受信すると、前記本体部を起動させてサービスを提供する。
【００１９】
また、本発明に係るサービス装置は、クライアント端末からのサービス要求に応じてサービスを提供するサービス装置において、節電中の前記サービス装置を特定する特定情報を登録するアドレス登録部と、該サービス装置のステータス情報を登録するステータス登録部とを有し、自端末及び他端末の節電状態を管理する節電管理部を具備し、節電移行通知及びステータス情報を前記管理部に送信した後、前記サービスを提供する本体部を停止させて節電状態に移行し、前記クライアント端末から節電中のサービス装置に対するステータス要求を検出すると、前記ステータス情報に基づいてステータスを該クライアント端末に送信し、前記クライアント端末から節電中の自端末に対する前記サービス要求を検出すると、前記本体部を起動させてサービスを提供し、前記クライアント端末から節電中の他端末に対する前記サービス要求を検出すると、起動要求を該サービス装置に送信する。
【発明の効果】
【００２０】
本発明では、サービス装置における消費電力を抑え、節電効率を向上させることができる。
【発明を実施するための最良の形態】
【００２１】
以下、本発明に係る節電管理システム、節電管理方法、節電管理プログラム、節電管理装置、及びサービス装置を実施するための最良の形態について、添付図面を参照して詳細に説明する。
【実施例１】
【００２２】
図１は、本発明に係る節電管理システムの構成の一例を示す概念図である。同図に示すように、本発明に係る節電管理システムには、節電管理装置１０と、サービス装置であるプリンタ２０（２０−１、２０−２、…３０−ｎ）と、ユーザが使用するＰＣなどのクライアント端末３０（３０−１、３０−２、…３０−ｍ）とが設けられており、ＬＡＮ(Local Area Network)４０を介して互いに接続している。
【００２３】
図２は、本実施例における節電管理装置１０の構成を示す機能ブロック図である。同図に示すように、節電管理装置１０は、ネットワーク監視部１１と、プリンタ登録部１２と、ステータス判断部１３と、起動要求部１４とで構成されている。
【００２４】
ここで、ネットワーク監視部１１は、ＬＡＮ４０上のトラフィックを監視し、プリンタ２０からの節電移行通知や、クライアント端末３０からプリンタ２０へのステータス要求や印刷要求（印刷ジョブ）などを検出する。また、ＬＡＮ４０を介した節電監視装置１０の通信を制御する。
【００２５】
プリンタ登録部１２は、ＬＡＮ４０に接続しているプリンタの節電状態と共に、節電中のプリンタのステータスを管理しており、アドレス登録部１５とステータス登録部１６とが設けられている。
【００２６】
アドレス登録部１５は、ネットワーク監視部１１で節電移行通知を検出すると、節電に移行するプリンタのＩＰアドレスなど、プリンタを特定することが可能な特定情報であるアドレスを登録する。
【００２７】
ステータス登録部１６は、アドレス登録部１５に登録されているプリンタのステータスを示すステータス情報を登録する。ここで、プリンタのステータスとしては、例えば、プリンタのトレイの情報、プリンタの消耗品の状態など、プリンタの状態に関する情報が挙げられる。
【００２８】
ステータス判断部１３は、ネットワーク監視部１１でプリンタに対するステータス要求を検出すると、アドレス登録部１５に登録されているアドレスに基づいて当該プリンタが節電中であるか否かを判断する。また、節電中である場合は、ステータス要求が要求しているステータスを判断し、ステータス登録部１６から該当するステータスを取得して、ステータス要求の発信元のクライアント端末に当該ステータスを送信する。
【００２９】
起動要求部１４は、ネットワーク監視部１１でプリンタに対する印刷要求を検出すると、アドレス登録部１５に登録されているアドレスに基づいて当該プリンタが節電中であるか否かを判断し、節電中である場合は、起動要求を印刷要求先のプリンタに送信する。
【００３０】
上記構成において本実施例に係る節電管理装置は、節電中のプリンタのアドレス、及び当該プリンタのステータス情報をプリンタ登録部に登録して管理する。そして、クライアント端末から節電中のプリンタに対するステータス要求が発生すると、当該プリンタに代って応答し、印刷要求が発生すると、当該プリンタに起動要求を送信する。
【００３１】
図３は、本実施例におけるプリンタ２０の構成を示す機能ブロック図である。同図に示すように、プリンタ２０は、通信制御部２１と、電源管理部２２と、本体部５０とで構成されている。
【００３２】
ここで、通信制御部２１は、本体部５０とＬＡＮ４０とを接続するインターフェースであり、本体部５０への電源供給を指示する起動制御部２３が設けられている。
【００３３】
起動制御部２３は、ネットワーク上のトラフィックを監視し、自装置宛の起動要求を検出すると、本体部５０への電力供給を電源制御部２２に指示する。
【００３４】
電源制御部２２は、プリンタ２０の各構成部に対する電力供給を制御する。
【００３５】
本体部５０は、クライアント端末３０からの印刷要求（印刷ジョブ）に基づいて、印刷物を出力するプリンタとしてのサービスを提供する部分であり、画像形成データ作成部５１と、画像形成データを媒体に出力して印刷を行う印刷出力部５２と、印刷出力に際してスプール処理を行うスプール処理部５３と、印刷ジョブや画像形成データ等を一時的に記憶する記憶部５４と、プリンタ２０における各種設定や運転状態などを管理する設定／状態管理部５５と、クライアント端末３０からの問い合わせや各種設定の変更要求などを処理する応答処理部５６と、本体部の節電を制御する節電制御部５７とで構成されている。
【００３６】
ここで、画像形成データ作成部５１は、ページ記述言語で記述されたドキュメントデータなどをラスタライズし、用紙などの媒体に出力する画像形成データを作成する。
【００３７】
節電制御部５７は、プリンタ２０の稼動状況を管理し、クライアント端末３０から当該プリンタ２０への要求が一定期間発生しないなど、節電条件を満たすと判断すると、節電管理装置１０に節電移行通知及びステータス情報を送信し、本体部５０を停止させて節電状態とする。
【００３８】
上記構成において本実施例に係るプリンタは、節電条件が満たされると、節電移行通知、及びステータス情報を節電管理装置に送信し、本体部を停止させる。そして、節電管理装置から起動要求を受信すると、本体部を起動させる。また、節電管理装置からステータスの問い合わせを受信すると、本体部を起動させることなく、現在のステータス情報を節電管理装置に送信する。
【００３９】
次に、図４を用いて、節電管理装置における処理の流れを説明する。まず、ネットワーク上のトラフィックを監視し、当該節電装置、若しくはプリンタに対するパケットを検出する（ステップ１００）と、節電移行通知であるか否かの判断を行い（ステップ１０１）、節電移行通知であると判断する（ステップ１０１でＹＥＳ）と、節電移行通知送信元のプリンタのアドレスをアドレス登録部に登録する（ステップ１０２）と共に、ステータスをステータス登録部に登録する（ステップ１０３）。
【００４０】
また、節電移行通知であるか否かの判断（ステップ１０１）において、節電移行通知ではないと判断する（ステップ１０１でＮＯ）と、ステータス要求であるか否かの判断を行い（ステップ１０４）、ステータス要求であると判断する（ステップ１０４でＹＥＳ）と、アドレス登録部に登録されているアドレスに基づいて、ステータスが要求されているプリンタが節電中であるか否かの判断を行う（ステップ１０５）。
【００４１】
ここで、プリンタが節電中であると判断する（ステップ１０５でＹＥＳ）と、クライアント端末が要求しているステータスをステータス登録部から取得して当該クライアント端末に送信し（ステップ１０６）、プリンタが節電中ではないと判断する（ステップ１０５でＮＯ）と、処理を終了する。
【００４２】
一方、ステータス要求であるか否かの判断（ステップ１０４）において、ステータス要求ではないと判断する（ステップ１０４でＮＯ）と、印刷要求であるか否かの判断を行い（ステップ１０７）、印刷要求ではないと判断する（ステップ１０７ＮＯ）と、処理を終了し、印刷要求であると判断する（ステップ１０７でＹＥＳ）と、印刷要求先のプリンタが節電中であるか否かの判断を行う（ステップ１０８）。
【００４３】
そして、印刷要求先のプリンタが節電中ではないと判断する（ステップ１０８でＮＯ）と、処理を終了し、節電中であると判断する（ステップ１０８でＹＥＳ）と、起動要求を印刷要求先のプリンタに送信し（ステップ１０９）、アドレス登録部から当該プリンタのアドレスを削除する（ステップ１１０）と共に、当該プリンタのステータス情報を削除する（ステップ１１１）。
【００４４】
このように本実施例では、プリンタの節電状態を管理する節電管理装置において、節電中のプリンタのステータス情報を管理し、当該プリンタに対するステータス要求が発生すると、節電管理装置からステータスを返送するため、プリンタの節電状態を維持することが可能となり、節電効率を向上させることができる。
【００４５】
なお、本実施例では、ステータス情報を節電移行通知と共にプリンタから節電管理装置に送信しているが、例えば、節電管理装置からプリンタにステータス要求を定期的又は不定期的に送信し、受信したステータス情報を節電管理装置に登録して、プリンタの節電移行時には、節電移行通知のみをプリンタから節電管理装置に送信するように構成してもよい。
【００４６】
また、プリンタのステータスに変化が生じると、プリンタから節電管理装置に新たなステータス情報を送信し、受信したステータス情報を節電管理装置に登録して、プリンタの節電移行時には、節電移行通知のみをプリンタから節電管理装置に送信するように構成してもよい。
【００４７】
実施例１では、節電管理装置をネットワーク上に設けているが、プリンタなどのサービス装置に自端末及び他端末を管理する管理装置としての機能を組み込むことも可能であり、以下、実施例２として、詳細に説明する。
【実施例２】
【００４８】
図５は、本実施例におけるプリンタ２０の構成を示す機能ブロック図である。なお、図２、又は３と共通な機能を果たす部分には、図２、３で使用した符号と同一の符号を付して、その詳細な説明を省略する。同図に示すように、プリンタ２０には、本体部５０と節電管理部６０とで構成されている。
【００４９】
節電管理部６０は、ネットワーク監視部１１と、プリンタ登録部１２と、ステータス判断部１３と、起動要求部１４と、通信制御部２１と、電源管理部２２とで構成されており、また、通信制御部２１には、起動制御部２３が設けられている。
【００５０】
ここで、ネットワーク監視部１１は、ＬＡＮ４０上のトラフィックを監視し、他のプリンタからの節電移行通知や、クライアント端末３０から自端末を含めたプリンタ２０へのステータス要求や印刷要求などを検出する。また、ＬＡＮ４０を介したプリンタ２０の通信を制御する。
【００５１】
起動要求部１４は、ネットワーク監視部１１でプリンタに対する印刷要求を検出すると、アドレス登録部に登録されているアドレスに基づいて、当該プリンタが節電中であるか否かを判断し、印刷要求先が自端末であり、且つ節電中である場合は、起動制御部２３に起動制御信号を送信し、印刷要求先が他の端末であり、且つ節電中である場合は、起動要求を印刷要求先のプリンタに送信する。
【００５２】
起動制御部２３は、起動要求部１４からの起動制御信号を検出すると、本体部５０への電力供給を電源制御部２２に指示する。
【００５３】
本体部５０は、画像形成データ作成部５１と、印刷出力部５２と、スプール処理部５３と、記憶部５４と、設定／状態管理部５５と、応答処理部５６と、節電制御部５７とで構成されている。
【００５４】
ここで、節電制御部５７は、プリンタ２０の稼動状況を管理し、節電条件を満たすと判断すると、節電管理部６０に節電移行通知及びステータス情報を送信し、本体部５０を停止させて節電状態とする。
【００５５】
上記構成において本実施例に係るプリンタの本体部は、節電条件が満たされると、節電移行通知、及びステータス情報を節電管理部に送信し、待機状態となる。そして、電源制御部から電力が供給されると起動する。
【００５６】
節電管理部は、節電中のプリンタのアドレス、及びステータス情報をプリンタ登録部に登録して管理する。そして、クライアント端末から節電中のプリンタに対するステータス要求が発生すると、当該プリンタに代って応答する。また、節電中の自端末に対して印刷要求が発生すると、本体部を起動させ、節電中の他端末に印刷要求が発生すると、当該プリンタに起動要求を送信する。加えて、節電中の自端末においてステータスに変化が生じると、ステータス登録部に登録されているステータス情報を更新し、節電中の他端末に対しては、定期的又は不定期でステータスの問い合わせを行い、受信したステータス情報をステータス登録部に登録してステータス情報を更新する。
【００５７】
次に、図６を用いて、プリンタの節電管理部における処理の流れを説明する。まず、ネットワーク上のトラフィックを監視し、当該節電装置、若しくはプリンタに対するパケットを検出する（ステップ２００）と、節電移行通知であるか否かの判断を行い（ステップ２０１）、節電移行通知であると判断する（ステップ２０１でＹＥＳ）と、節電移行通知送信元のプリンタのアドレスをアドレス登録部に登録する（ステップ２０２）と共に、ステータス情報をステータス登録部に登録する（ステップ２０３）。
【００５８】
また、節電移行通知であるか否かの判断（ステップ２０１）において、節電移行通知ではないと判断する（ステップ２０１でＮＯ）と、ステータス要求であるか否かの判断を行い（ステップ２０４）、ステータス要求であると判断する（ステップ２０４でＹＥＳ）と、アドレス登録部に登録されているアドレスに基づいて、ステータスが要求されているプリンタが節電中であるか否かの判断を行う（ステップ２０５）。
【００５９】
ここで、プリンタが節電中であると判断する（ステップ２０５でＹＥＳ）と、当該プリンタのステータスをステータス登録部から取得して、クライアント端末にステータスを送信し（ステップ２０６）、プリンタが節電中ではないと判断する（ステップ２０５でＮＯ）と、処理を終了する。
【００６０】
一方、ステータス要求であるか否かの判断（ステップ２０４）において、ステータス要求ではないと判断する（ステップ２０４でＮＯ）と、印刷要求であるか否かの判断を行い（ステップ２０７）、印刷要求ではないと判断する（ステップ２０７ＮＯ）と、処理を終了し、印刷要求であると判断する（ステップ２０７でＹＥＳ）と、印刷要求先のプリンタが節電中であるか否かの判断を行う（ステップ２０８）。
【００６１】
そして、印刷要求先のプリンタが節電中ではないと判断する（ステップ２０８でＮＯ）と、処理を終了し、節電中であると判断する（ステップ２０８でＹＥＳ）と、印刷要求先のアドレスに基づいて、印刷要求先が自端末であるか否かの判断を行う（ステップ２０９）。
【００６２】
ここで、印刷要求先が自端末であると判断する（ステップ２０９ＹＥＳ）と、起動制御信号を送信し（ステップ２１０）、アドレス登録部から自端末のアドレスを削除する（ステップ２１１）と共に、ステータス情報を削除する（ステップ２１２）。
【００６３】
また、印刷要求先が自端末ではないと判断する（ステップ２０９ＮＯ）と、起動要求を印刷要求先のプリンタに送信し（ステップ２１３）、アドレス登録部から当該プリンタのアドレスを削除する（ステップ２１１）と共に、当該プリンタのステータス情報を削除する（ステップ２１２）。
【００６４】
このように本実施例では、プリンタで自端末及び他端末の節電状態、及びステータス情報を管理するため、実施例１の効果に加えて、ステータスを管理する装置を別途設置することなく、設置した場合と同様の効果をさらに得ることができる。
【００６５】
本発明では、サービス装置が節電状態を管理する管理装置で、節電中のサービス装置のステータス情報を管理し、当該サービス装置に対してステータス要求が発生すると、管理装置が代理でステータスを返し、サービス要求が発生すると、起動要求を送信して当該サービス装置を起動させるため、サービス装置の無駄な節電解除がなく、節電効率することができる。
【図面の簡単な説明】
【００６６】
【図１】本発明に係る節電管理システムの構成の一例を示す概念図
【図２】実施例１における節電管理装置の構成を示す機能ブロック図
【図３】実施例１におけるプリンタの構成を示す機能ブロック図
【図４】実施例１における節電管理装置における処理の流れを示すフローチャート
【図５】実施例２におけるプリンタの構成を示す機能ブロック図
【図６】実施例２におけるプリンタの節電管理部における処理の流れを示すフローチャート
【符号の説明】
【００６７】
１０…節電管理装置
１１…ネットワーク監視部
１２…プリンタ登録部
１３…ステータス判断部
１４…起動要求部
１５…アドレス登録部
１６…ステータス登録部
２０…プリンタ
２１…通信制御部
２２…電源管理部
２３…起動制御部
３０…クライアント端末
４０…ＬＡＮ
５０…本体部
５１…画像形成データ作成部
５２…印刷出力部
５３…スプール処理部
５４…記憶部
５５…設定／状態管理部
５６…応答処理部
５７…節電制御部
６０…節電管理部
【図１】
2005267539.tif 000003
【図２】
2005267539.tif 000004
【図３】
2005267539.tif 000005
【図４】
2005267539.tif 000006
【図５】
2005267539.tif 000007
【図６】
2005267539.tif 000008